(57)【要約】【課題】支柱に取り付けた位置決めピンが支柱から外れにくい室外機設置台を提供する。【解決手段】室外機設置台１は、平面視四角形の四隅に上下方向に延びるように設けられた４本の支柱２と、４本の支柱２のうちの少なくとも２本の支柱２に取り付けられる位置決めピン３と、位置決めピン３の上部に載置される室外機設置部４と、を備え、位置決めピン３は、支柱２の外面に当接する当接部３３と、当接部３３から突出する下側挿入部３２と、下側挿入部３２よりも上側に位置する上側挿入部３１と、を有し、支柱２は、上側挿入部３１が挿入される上孔２１と、上孔２１の下方に位置する下孔２２とを有し、上孔２１及び下孔２２にそれぞれ上側挿入部３１及び下側挿入部３２が挿入された状態で突出部の下端と上孔の下端との上下方向の距離が下孔２２と下側挿入部３２との間に形成される上下方向の空隙よりも長い。【選択図】図１
2017145967.tif 000002
【特許請求の範囲】
【請求項１】
平面視四角形の四隅に上下方向に延びるように設けられた４本の支柱（２）と、
前記４本の支柱（２）のうちの少なくとも２本の支柱（２）に取り付けられる位置決めピン（３）と、
前記位置決めピン（３）の上部に載置され、前記４本の支柱（２）に取り付けられる室外機設置部（４）と、を備え、
前記位置決めピン（３）は、前記支柱（２）の外面に当接する当接部（３３）と、前記当接部（３３）から突出する下側挿入部（３２）と、前記下側挿入部（３２）よりも上側の位置で前記下側挿入部（３２）に向かって突出する突出部（３１ａ）を先端に有する上側挿入部（３１）と、を有し、
前記支柱（２）は、前記上側挿入部（３１）が挿入される上孔（２１）と、前記上孔（２１）の下方に位置し、前記下側挿入部（３２）が挿入される下孔（２２）とを有し、
前記上孔（２１）及び前記下孔（２２）にそれぞれ前記上側挿入部（３１）及び前記下側挿入部（３２）が挿入された状態で前記突出部（３１ａ）の下端（Ａ）と前記上孔（２１）の下端（２１ｂ）との上下方向の距離Ｄが前記下孔（２２）と前記下側挿入部（３２）との間に形成される上下方向の空隙（４０）よりも長いことを特徴とする室外機設置台（１）。
【請求項２】
前記上孔（２１）に前記上側挿入部（３１）が挿入された状態で前記上孔（２１）と前記上側挿入部（３１）との間に形成される上下方向の空隙（５０）は、前記突出部（３１ａ）の前記下側挿入部（３２）への突出長さよりも長いことを特徴とする請求項１記載の室外機設置台（１）。
【請求項３】
前記下側挿入部（３２）は、前記当接部（３３）の前記支柱（２）の外面に当接する当接面（３３ａ）の中間位置から突出している請求項１又は２記載の室外機設置台（１）。
【請求項４】
前記下側挿入部（３２）は、その先端に前記上側挿入部（３１）に向かって突出する凸部（３２ａ）を有する請求項１〜３のいずれか一項に記載の室外機設置台（１）。
【請求項５】
前記上側挿入部（３１）と前記当接部（３３）とを繋ぐ連結部（３４）は、前記上側挿入部（３１）から湾曲しながら前記当接部（３３）までを繋いでいる請求項１〜４のいずれか一項に記載の室外機設置台（１）。
【請求項６】
前記当接部（３３）の下側に設けられ、前記位置決めピン（３）を前記支柱（２）に取り付ける際に持ち手として利用可能な突起（３５）をさらに有する請求項１〜５のいずれか一項に記載の室外機設置台（１）。
【発明の詳細な説明】
【技術分野】
【０００１】
本発明は、室外機設置台に関し、より詳細には４本の支柱に室外機設置部を取り付ける時に室外機設置部の高さ位置を決めやすい室外機設置台に関する。
【背景技術】
【０００２】
近年、室内を快適な温度に保つため、室内の温度を調整する空気調和装置が多用されている。空気調和装置は、室内に設置される室内機と、当該室内機に連結され、室外に設置される室外機と、によって構成されている。室外機を設置するときには室外機設置台が用いられる。
【０００３】
室外機設置台に関する従来技術としては、例えば特許文献１（特開２００４−１７６９９７号公報）が挙げられる。特許文献１に開示の室外機設置台は、同文献の図１に示すように、地面に対して垂直に配置する４本の垂直材と、垂直材の上下端部に嵌め込まれる８個の結合部材と、結合部材同士を結合する８本の水平材と、対向する水平材の上面にそれぞれ取り付けられる取付材と、によって構成されている。この取付材の上部に室外機を載置することにより、同文献の図７に示すように室外機を設置することができる。
【先行技術文献】
【特許文献】
【０００４】
【特許文献１】特開２００４−１７６９９７号公報
【発明の概要】
【発明が解決しようとする課題】
【０００５】
特許文献１に開示の室外機設置台の組立てにおいて、垂直材に結合部材を取り付ける時の結合部材の高さ位置を決めるために、垂直材の側面の孔に予め位置決めピンを嵌め込んでもよい。位置決めピンの形状及びその取付形態の一例として図１０に示す形態が挙げられる。図１０に示すように先端が鉤状の掛部３１’を有する位置決めピン３’を垂直材２’の孔２１’に引っ掛けた上で、当該位置決めピン３’の上部に結合部材を載置することにより、結合部材の垂直材への固定位置を簡便に決定することができる。
【０００６】
しかしながら、孔２１’の上下方向の長さは掛部３１’の上下方向の長さよりも十分長く形成されているので、図１０に示すように垂直材２’の孔２１’に位置決めピン３’を嵌め込んだだけでは、位置決めピン３’に外力が加わった時、結合部材の取付作業において垂直材２’を傾けた時等に位置決めピン３’が簡単に外れてしまう。
【０００７】
本発明は、上記現状に鑑みてなされたものであり、その目的は、支柱に取り付けた位置決めピンが支柱から外れにくい室外機設置台を提供することにある。
【課題を解決するための手段】
【０００８】
前記目的を達成するため、本発明の室外機設置台は、平面視四角形の四隅に上下方向に延びるように設けられた４本の支柱と、前記４本の支柱のうちの少なくとも２本の支柱に取り付けられる位置決めピンと、前記位置決めピンの上部に載置され、前記４本の支柱に取り付けられる室外機設置部と、を備え、前記位置決めピンは、前記支柱の外面に当接する当接部と、前記当接部から突出する下側挿入部と、前記下側挿入部よりも上側の位置で前記下側挿入部に向かって突出する突出部を先端に有する上側挿入部と、を有し、前記支柱は、前記上側挿入部が挿入される上孔と、前記上孔の下方に位置し、前記下側挿入部が挿入される下孔とを有し、前記上孔及び前記下孔にそれぞれ前記上側挿入部及び前記下側挿入部が挿入された状態で前記突出部の下端と前記上孔の下端との上下方向の距離が前記下孔と前記下側挿入部との間に形成される上下方向の空隙よりも長いことを特徴とする。
【０００９】
上記形状の位置決めピンを支柱に取り付けることにより、位置決めピンが支柱に取り付けられた状態で位置決めピンの当接部が支柱の外面に接するので、位置決めピンが支柱の長手方向に垂直方向にガタつくことを抑制することができる。また、位置決めピンの２つの挿入部（上側及び下側挿入部）が支柱の上孔及び下孔にそれぞれ挿入されるので、図１０に示す従来の位置決めピンのように挿入部が１つのみの場合に比して、支柱から位置決めピンを外れにくくすることができる。しかも、上側挿入部の先端に下側挿入部に突出する突出部を設けているので、位置決めピンに意図せず外力が加わっても上側挿入部の突出部が支柱の上孔に引っかかるので上側挿入部が上孔から外れることを防止することができる。
【００１０】
その上、位置決めピンが支柱に取り付けられた状態で、突出部の下端と上孔の下端との上下方向の距離が下孔と下側挿入部との間に形成される上下方向の空隙よりも長いので、位置決めピンを上下方向に動かしただけでは上側挿入部の突出部が支柱に引っかかって位置決めピンが支柱から外れなくすることができる。上記位置決めピンを支柱から取り外すためには、位置決めピンの上側挿入部を上孔に入れ込んだ状態で下側挿入部を下孔から取り出して、その状態のまま（下側挿入部を下孔から取り外した状態のまま）突出部の下端が上孔の下端よりも上側に位置するように位置決めピンを真上に持ち上げてから、上側挿入部を支柱の長手方向に垂直方向に引き出す作業が必要となる。この作業が位置決めピンの取り外しに必須となるので、例えば位置決めピンに意図せず外力が加わったり、室外機設置部の取付作業中に支柱を傾けたりする程度で、位置決めピンが支柱から簡単に外れることを防止することができる。このように位置決めピンが支柱から外れにくくなることにより、支柱から位置決めピンが外れることなく、室外機設置部の高さ位置を容易に仮決めすることが可能となる。
【００１１】
上記構成において、好ましくは、上孔に上側挿入部が挿入された状態で上孔と上側挿入部との間に形成される上下方向の空隙は、突出部の下側挿入部への突出長さよりも長い。
【００１２】
上記構成によれば、上側挿入部を上孔に挿入するときに上側挿入部の突出部が上孔の周辺に当たりにくくなり、上側挿入部を上孔に簡単に挿入することができる。また突出部の突出長さよりも上孔と上側挿入部との間に形成される上下方向の空隙が長いので、下孔に下側挿入部を挿入するときに上孔内で上側挿入部を上下方向に動作させやすくなり、下側挿入部を下孔に簡単に挿入することができる。
【００１３】
上記構成において、好ましくは、下側挿入部は、当接部の支柱の外面に当接する当接面の中間位置から突出している。
【００１４】
上記構成によれば、下側挿入部が下孔に挿入された状態で、下側挿入部よりも上方及び下方に位置する当接面が支柱に当接するので、支柱に位置決めピンを取り付けた状態で位置決めピンがグラつきにくく、位置決めピンが安定しやすい。
【００１５】
上記構成において、好ましくは、前記下側挿入部は、その先端に前記上側挿入部に向かって突出する凸部を有する。
【００１６】
上記構成によれば、下側挿入部の凸部が下孔に引っかかって下側挿入部が支柱の下孔から外れにくくなるため、位置決めピンが支柱から外れることを防止することができる。
【００１７】
上記構成において、好ましくは、前記上側挿入部と前記当接部とを繋ぐ連結部は、前記上側挿入部から湾曲しながら前記当接部までを繋いでいる。
【００１８】
上記構成によれば、連結部が湾曲しているので上側挿入部を上孔に挿入した状態で、連結部の湾曲面に沿って位置決めピンを回転させることによって下側挿入部を下孔に挿入することができる。また上記のように位置決めピンを回転するときに連結部が湾曲しているので連結部の上側が上孔の上端に引っかかることを防止することができ、位置決めピンをスムーズに支柱に取り付けることが可能となる。
【００１９】
上記構成において、好ましくは、前記当接部の下側に設けられ、前記位置決めピンを前記支柱に取り付ける際に持ち手として利用可能な突起をさらに有する。
【００２０】
上記構成によれば、下側部分に設けられた突起を持手として利用することにより、位置決めピンを支柱に取り付ける作業を容易に行うことができる。
【発明の効果】
【００２１】
本発明によれば、支柱に取り付けた位置決めピンが支柱から外れにくい室外機設置台を提供することができる。
【図面の簡単な説明】
【００２２】
【図１】本発明の実施形態に係る室外機設置台の斜視図である。
【図２】図１の室外機設置台から室外機設置部を取り外した後の支柱を示す斜視図である。
【図３】図１の支柱の模式的な断面図である。
【図４】室外機設置部の上面図である。
【図５】位置決めピンの拡大図である。
【図６】支柱に位置決めピンを取り付けた後の状態を示す拡大図である。
【図７】支柱に位置決めピンが取り付けられる手順を説明する模式的断面図である。
【図８】支柱に位置決めピンが取り付けられる手順を説明する模式的断面図である。
【図９】位置決めピンの変形例を示す図である。
【図１０】従来の位置決めピンの一例を示す模式的断面図である。
【発明を実施するための形態】
【００２３】
以下、本発明を実施するための形態について図面を参照しながら詳細に説明する。
【００２４】
（実施形態）
＜室外機設置台の全体構造＞
図１は本実施形態の室外機設置台１の基本的構成を示す斜視図であり、図２は図１の室外機設置台１から室外機設置部４を取り外した後の支柱２を示す斜視図であり、図３は図１の支柱２の断面図であり、図４は室外機設置部４の上面図であり、図５は位置決めピン３の拡大図である。以下の説明において、「上」及び「下」は室外機設置台１を設置した時の上下方向に対応するものとする。
【００２５】
本実施形態の室外機設置台１は、空気調和装置の室外機を設置するために用いられるものであり、図１に示すように、４本の支柱２と、各支柱２に取り付けられる位置決めピン３と、室外機設置部４と、室外機取付部５と、によって構成されている。
【００２６】
支柱２は、図２に示すように、室外機設置部４の四隅を支持するために上面視四角形の四隅に設けられ、内部が空洞のフレーム材である。支柱２の下端には脚部６が取り付けられており、この脚部６を地面に固定することによって支柱２が上下方向（つまり地面に直交する方向）に延びるように支柱２が固定される。各支柱２の側面には、図２に示すように、後述する位置決めピン３を取り付けるための上孔２１及び下孔２２がそれぞれ上下に交互に６つずつそれぞれ離間して、上孔２１、下孔２２、上孔２１・・・という順序で設けられている。４本の支柱２における上孔２１及び下孔２２の高さ位置はいずれも略同一になっており、上孔２１及び下孔２２はいずれも、支柱２の内部の空洞に連通している。上孔２１と当該上孔２１の直近の下孔２２との間隔は６つとも同一になっており、上孔２１の上下方向の長さは、下孔２２のそれよりも長くしている。支柱２を配置する方向に関し、図１においては、支柱２の上孔２１及び下孔２２が設けられた面が互いに対向するように支柱２を配置しているが、支柱２を配置する向きは特に限定されない。ただし、位置決めピン３を取り付けた面が支柱２の外側に向かない方が好ましい。
【００２７】
位置決めピン３は、図２及び図３に示すように、支柱２における室外機設置部４の高さ位置を仮決めするために各支柱２に取り付けられる。位置決めピン３の支柱２への取付は、支柱２の上孔２１及び下孔２２にそれぞれ位置決めピン３の２つの挿入部（後述する上側挿入部３１及び下側挿入部３２）を挿入することによって行う。そして、支柱２に取り付けた位置決めピン３の上部に室外機設置部４が載置されることにより室外機設置部４の高さ位置が仮決めされる。
【００２８】
各位置決めピン３の取付は、４本の支柱２それぞれの６組の上孔２１及び下孔２２から一組の上孔２１及び下孔２２を選択し、各支柱２の同一の高さ位置の上孔２１及び下孔２２に位置決めピン３を取り付けることによって行う。これにより室外機設置部４の高さ位置を上下に６段階に変更自在とすることができる。例えば図２及び図３においては、４本の支柱２の一番上の上孔２１及び下孔２２にそれぞれ位置決めピン３が取り付けられる場合を示している。なお、図２においては、４本全ての支柱２に位置決めピン３を取り付けた場合を示しているが、４本の支柱２のうちの少なくとも２本の支柱２に位置決めピン３を取り付けることで室外機設置部４の取付位置を仮決めすることができる。２本の支柱２のみに位置決めピン３を取り付ける場合には、四隅の支柱２のうちの対角に位置する支柱２に位置決めピン３を取り付けることが好ましい。位置決めピン３の材質は、アクリル樹脂等の樹脂製のもので構成されているが、アルミニウム等の金属製で構成されていてもよい。
【００２９】
室外機設置部４は、図４に示すように、室外機を下側から支持する上面視長方形の枠状部材であり、上面視長方形の四隅に設けられる４つの接続部４３と、接続部４３に接続される２本の短辺部材４１と、接続部４３に接続され、短辺部材４１よりも長い２本の長辺部材４２と、短辺部材４１と接続部４３とを固定する取付ネジ４５と、によって構成されている。接続部４３には支柱２を挿入できる挿入孔４４が設けられており、挿入孔４４の孔径は、支柱２の長手方向に垂直な面における断面の外形よりも一回り大きいが、取付ネジ４５を締めることで挿入孔４４の孔径を支柱２の外形よりも小さくすることができるようになっている。よって、挿入孔４４に支柱２を挿入した状態で取付ネジ４５を締めることにより挿入孔４４が締め付けられて支柱２に対して室外機設置部４を固定することができる。この固定により位置決めピン３で仮決めされた室外機設置部４の高さ位置が確定される。
【００３０】
室外機取付部５は、図１及び図４に示すように、短辺部材４１と略同一の長さを有し、室外機を下側から支える棒状部材であり、室外機設置部４の対向する長辺部材４２同士を連結するように長辺部材４２の長手方向に摺動可能に取り付けられている。図１においては、室外機設置部４の上面に２本の室外機取付部５が取り付けられた場合を示しているが、室外機の大きさや重量に応じて３本以上の室外機取付部５が室外機設置部４に取り付けられていてもよい。
【００３１】
各室外機取付部５の上面には長手方向に延びる２本の溝（図４）が設けられており、各溝にそれぞれ１つずつ合計２つの取付金具７（図１）が室外機取付部５の長手方向に摺動可能に取り付けられている。この２つの取付金具７は、室外機を室外機取付部５の上部に固定するために設けられるものであり、２つの取付金具７をそれぞれ室外機の下面の前側と後ろ側に配置した上で、取付金具７と室外機の脚部分を固定することによって室外機が前後に動かないように室外機を固定することができる。
【００３２】
位置決めピン３は、図５に示すように、上側挿入部３１と、下側挿入部３２と、当接部３３と、連結部３４と、突起３５とを有している。図５においては、各部を明確にするために便宜的に点線で区切っているが、実際の位置決めピン３において図５の点線に示す境界が存在するわけではなく同一材料で一体として成形されている。位置決めピン３の作製方法としては例えば射出成形が挙げられる。位置決めピン３の厚みは、室外機設置部４を下側から支えることができる強度を確保できる程度であれば特に限定されない。
【００３３】
上側挿入部３１は、支柱２の上孔２１に挿入される部分であり、下側挿入部３２よりも上側の位置で、下側挿入部３２に向かって下側に突出する突出部３１ａを先端に有している。突出部３１ａは、位置決めピン３を支柱２に取り付けた状態で支柱２に接する接触面３１ｂと、当該接触面３１ｂの下端Ａから支柱２に離れる方向に上側に滑らかに湾曲する湾曲面３１ｃとを有している。上側挿入部３１の上面（つまり突出部３１ａとは反対側の面）は上側挿入部３１が挿入される方向の先端に向かうほど下がる湾曲面となっている。
【００３４】
下側挿入部３２は、支柱２の下孔２２に挿入される部分であり、上側挿入部３１が上孔２１に挿入された状態で、その上孔２１の直下の下孔２２に挿入可能となるように上側挿入部３１から離間して設けられている。下側挿入部３２は、後述する当接部３３の支柱２に当接する当接面３３ａの中間位置から突出している。ここでの「当接面の中間位置」とは、当接部３３の上端近傍と下端近傍との間の当接面を意味し、具体的には、当接面３３ａの上下方向のうちの例えば上側２０％と例えば下側２０％を除く中間部分を意味する。
【００３５】
下側挿入部３２の先端には上側挿入部３１に向かって突出する凸部３２ａが設けられており、この凸部３２ａの上面は滑らかに湾曲している。また下側挿入部３２の下側面３２ｂは当接部３３から離れるにしたがって上向きに湾曲している。
【００３６】
当接部３３は、位置決めピン３が支柱２に取り付けられた状態で、支柱２に当接する当接面３３ａを有する部分である。当接部３３の当接面３３ａが支柱２に当接することにより位置決めピン３が支柱２の長手方向に垂直に動作しにくくなり、位置決めピン３の高さ位置が安定しやすい。しかも、当接面３３ａのうち下側挿入部３２より上側の部分は支柱２の上孔２１と下孔２２との間の支柱２に当接し、当接面３３ａの下側挿入部３２より下側の部分は支柱２の下孔２２の下側の支柱２に当接する（つまり下側挿入部３２の上側に位置する部分と下側に位置する部分が支柱２に当接する）ので、下側挿入部３２が下孔２２から外れにくくなり、位置決めピン３が支柱２から不用意に外れることを防止することができる。当接部３３の上面３３ｂは平坦面となっており、当接部３３の当接面３３ａと上面３３ｂとは略直交している。
【００３７】
当接部３３の下側挿入部３２が設けられている側と反対側の面は、連結部３４よりも内側（つまり下側挿入部３２側）に入り込んでいる。このように当接部３３が連結部３４よりも内側に入り込むことで位置決めピン３のヒケを防止することができる。また当接部３３の下側には下側挿入部３２とは反対側に突出する突起３５が設けられている。この突起３５は位置決めピン３を支柱２に取り付ける際に持ち手として利用可能である。
【００３８】
連結部３４は、上側挿入部３１から湾曲しながら当接部３３までを繋ぐ部分である。連結部３４の支柱２に対向する側の面を連結部３４の内側面３４Ｘとし、内側面３４Ｘの反対側の外側の面を外周面３４Ｙとすると、連結部３４の内側面３４Ｘは、上側挿入部３１の下側面３１ｄとともに突出部３１ａの接触面３１ｂの上端と当接部３３の上面３３ｂの外側端とを滑らかに結ぶ湾曲面で構成されている。この湾曲面は、突出部３１ａの接触面３１ｂを延長する面と当接部３３の上面３３ｂを延長する面とが交差する仮想線Ｑを中心とする略四分の一円弧面となっている。一方、連結部３４の外周面３４Ｙは、湾曲面３４ｓと平面部分３４ｔとがそれらの面を繋ぐ稜線Ｐで二分されており、稜線Ｐより上側の湾曲面３４ｓは上側挿入部３１の上面から稜線Ｐまで滑らかに下向きに湾曲しており、稜線Ｐより下側の平面部分３４ｔは、稜線Ｐから鉛直下向きに延びている。
【００３９】
ここで、支柱２の上孔２１及び下孔２２の大きさと位置決めピン３の上側挿入部３１と下側挿入部３２の肉厚との関係について説明する。図５に示すように当接部３３の当接面３３ａと突出部３１ａの接触面３１ｂとの幅方向の距離Ｘは、支柱２の肉厚よりも大きくなっている。なお、ここでの「幅方向」とは上下方向に垂直であって、かつ位置決めピン３の取付方向を意味する。また当接部３３の上面３３ｂと上側挿入部３１の突出部３１ａの接触面３１ｂの下端Ａとの上下方向の距離Ｙも、支柱２の肉厚よりも大きくなっている。
【００４０】
図６は、支柱２に対して位置決めピン３を取り付けた後の状態を示す図である。図６に示す状態（位置決めピン３が支柱２に取り付けられた状態）において、上孔２１と上側挿入部３１との間に形成される上下方向の空隙５０は、下孔２２と下側挿入部３２との間に形成される上下方向の空隙４０よりも長くなっている。そして、図６に示す状態において、突出部３１ａの接触面３１ｂの下端Ａと上孔２１の下端２１ｂとの上下方向の距離Ｄが下孔２２と下側挿入部３２との間に形成される上下方向の空隙４０よりも長くなっている。なお、ここでの空隙４０は、下孔２２の上端と下側挿入部３２との間に形成される上下方向の隙間と下孔２２の下端と下側挿入部３２との間に形成される上下方向の隙間との合計である。また、下孔２２の上下方向の長さは、下孔挿入部３２の先端側の上下方向の長さよりも短い。よって、下孔２２に下側挿入部３２の先端を挿入するためには、位置決めピン３を傾けた状態で下側挿入部３２を下孔２２に挿入する必要がある。さらに、上孔２１と上側挿入部３１との間に形成される上下方向の空隙５０は、突出部３１ａの下側挿入部３２への突出長さＴよりも長くなっている。
【００４１】
当接部３３の当接面３３ａと突出部３１ａの接触面３１ｂとの幅方向の距離Ｘは、支柱２の肉厚よりも大きくなっているので、支柱２に位置決めピン３を取り付けたときに当接面３３ａと接触面３１ｂとの２面で支柱２に固定することができ、位置決めピン３がグラつきにくく安定しやすい。
【００４２】
＜室外機設置台の組立手順＞
次に、上記室外機設置台１の組立手順を説明する。
【００４３】
まず、４本の支柱２のそれぞれに各１つずつ合計４つの位置決めピン３が取り付けられる。図７乃至図８は支柱２に位置決めピン３が取り付けられる手順を説明する図である。初めに、図７に示すように、位置決めピン３の上側挿入部３１を支柱２側に傾けて支柱２の上孔２１に挿入し、下側挿入部３２の凸部３２ａが支柱２に接触するまで上側挿入部３１を支柱２の内部に挿入する。このとき連結部３４の外側面３４Ｙの湾曲面３４ｓの後端が上孔２１内に挿入されるが、連結部３４の外側面３４Ｙが湾曲しているので位置決めピン３を斜めに傾けることで位置決めピン３が支柱２に引っかからない。
【００４４】
次に、図８に示すように、連結部３４の内側面３４Ｘが支柱２に接触するまで位置決めピン３を鉛直下向きにスライドさせる。これにより下側挿入部３２を下孔２２内に挿入できる位置となる。
【００４５】
最後に、図６に示すように、位置決めピン３の上側挿入部３１を上孔２１から取り出す方向に引き出しながら当接部３３の当接面３３ａを支柱２に当接させるように位置決めピン３を四分の一回転させて下側挿入部３２を支柱２の下孔２２に挿入する。このとき、連結部３４の内側面３４Ｘが四分の一円弧面となっているので位置決めピン３をスムーズに回転することができる。このようにして図６に示すように支柱２に対して位置決めピン３を固定することができる。上記と同様にして他の３本の支柱２にも、それぞれ同一の高さ位置にある上孔２１及び下孔２２に対してそれぞれ位置決めピン３が取り付けられる。
【００４６】
次に、図２に示すように、上記位置決めピン３を取り付けた４本の支柱２を、室外機設置部４の四角形の外形の四隅に対応する位置に配置する。この時点では支柱２の脚部６を地面に固定せずに支柱２の位置の仮決め状態としておく。このような４本の支柱２の上側から室外機設置部４を嵌め込む。このとき室外機設置部４の挿入孔４４に支柱２を嵌め込みにくい場合は、支柱２の設置位置を微調整して室外機設置部４の挿入孔４４に支柱２を嵌め込めるようにする。上記形状の位置決めピン３を支柱２に取り付けているので、支柱２の設置位置を微調整するときにも位置決めピン３が支柱２から外れにくい。そして、各支柱２の位置決めピン３の上部に室外機設置部４の挿入孔４４が載置されることによって各支柱２における室外機設置部４の高さ位置を仮決めする。
【００４７】
次に、室外機設置部４の取付ネジ４５を締めることによって支柱２が挿入孔４４に締め付けられ、これにより室外機設置部４が４本の支柱２に固定される。この状態では位置決めピン３によって室外機設置部４が支えられているわけではなく、挿入孔４４による締め付けによって室外機設置部４が支柱２に固定されている。以上のようにして、支柱２に室外機設置部４を固定することにより図１に示す室外機設置台１が組み立てられる。このように組み立てた室外機設置台１の脚部６を地面に固定することにより室外機設置台１が地面に取り付けられる。このように固定した室外機設置台１の室外機設置部４の上部に室外機の下側を固定することにより室外機を安定して室外機設置台１に取り付けることができる。
【００４８】
（変形例）
上記実施形態においては、当接部３３の当接面３３ａの中間位置から下側挿入部３２が突出している場合を示しているが、図９に示すように、当接面３３ａの上端から下側挿入部３２が突出していてもよい。この場合、図９に示すように、連結部３４は上側挿入部３１と当接部３３とを半円弧状に滑らかに湾曲して接続することになる。また、上記実施形態においては、下側挿入部３２の先端に凸部３２ａが設けられている場合を説明したが、下側挿入部３２の先端の凸部３２ａが設けられていなくてもよい。
【００４９】
上記実施形態においては、下側挿入部３２の先端の凸部３２ａが上側挿入部３１に向けて突出している場合を説明したが、下側挿入部３２の先端に設けられる凸部３２ａが上側挿入部３１とは逆向きに突出していてもよい。
【００５０】
（作用効果等）
上記実施形態の室外機設置台１は、位置決めピン３が支柱２に取り付けられた状態で位置決めピン３の当接部３３が支柱２の外面に接しているので、位置決めピン３が支柱２の長手方向に垂直方向にガタつくことを抑制することができる。また、位置決めピン３の２つの挿入部（上側挿入部３１及び下側挿入部３２）が支柱２の上孔２１及び下孔２２にそれぞれ挿入されるので、図１０に示すような位置決めピン３’の挿入部３１’が１つのみの場合に比して、位置決めピン３を支柱２から外れにくくすることができる。しかも、上側挿入部３１の先端に下側挿入部３２に突出する突出部３１ａを設けているので、位置決めピン３に意図せず外力が加わったり、支柱２を傾けたりしても上側挿入部３１の突出部３１ａが支柱２の上孔２１に引っかかるので上側挿入部３１が上孔２１から外れることを防止することができる。
【００５１】
その上、位置決めピン３が支柱２に取り付けられた状態で、突出部３１ａの下端と上孔の下端との上下方向の距離が下孔と下側挿入部との間に形成される上下方向の空隙よりも長いので、位置決めピン３を上下方向に動かしただけでは上側挿入部３１の突出部３１ａが支柱２に引っかかって位置決めピン３を支柱２から外れにくくすることができる。上記位置決めピン３を支柱２から取り外すためには、位置決めピン３の上側挿入部３１を上孔２１に入れ込んだ状態で下側挿入部３２を下孔２２から取り出して、その状態（下側挿入部３２を下孔２２から取り外した状態）のまま突出部３１ａの下端が上孔２１の下端よりも上側に位置するように位置決めピン３を真上に持ち上げてから、上側挿入部３１を支柱２の長手方向に垂直方向に引き出す作業が必要となる。この作業が位置決めピン３の取り外しに必須となるので、例えば位置決めピン３に意図せず外力が加わったり、室外機設置部４の取付作業中に支柱２を傾けたりする程度で、位置決めピン３を支柱２から外れにくくすることができる。このように位置決めピン３を支柱２から外れにくくすることにより、支柱２に室外機設置部４を取り付けるときに支柱２を傾けても支柱２から位置決めピン３が外れることなく、室外機設置部４の高さ位置を容易に仮決めすることが可能となる。
【００５２】
上孔２１に上側挿入部３１が挿入された状態で上孔２１と上側挿入部３１との間に形成される上下方向の空隙は、突出部３１ａの下側挿入部３２への突出長さよりも長いので、上側挿入部３１を上孔２１に挿入するときに上側挿入部３１の突出部３１ａが上孔２１の周辺に当たりにくくなり、上側挿入部３１を上孔２１に簡単に挿入することができる。また突出部３１ａの突出長さよりも上孔２１と上側挿入部３１との間に形成される上下方向の空隙が長いので、下孔２２に下側挿入部３２を挿入するときに上孔２１内で上側挿入部３１を上下方向に動作させやすくなり、位置決めピン３を支柱２に取り付けやすくすることができる。
【００５３】
下側挿入部３２が当接部３３の支柱２の外面に当接する当接面３３ａの中間位置から突出しているので下側挿入部３２が下孔２２に挿入された状態で、下側挿入部３２よりも上方及び下方に位置する当接面３３ａが支柱２に当接するので、支柱２に位置決めピン３を取り付けた状態で位置決めピン３がグラつきにくく、位置決めピン３が安定しやすい。
【００５４】
下側挿入部３２は、その先端に上側挿入部３１に向かって突出する凸部３２ａを有するので、下側挿入部３２の凸部３２ａが下孔２２に引っかかって下側挿入部３２が支柱２の下孔２２から外れにくくなる。これにより位置決めピン３を支柱２から外れにくくすることができる。
【００５５】
上側挿入部３１と当接部３３とを繋ぐ連結部３４は、上側挿入部３１から湾曲しながら当接部３３までを繋いでいるので、上側挿入部３１を上孔２１に挿入した状態で、連結部の湾曲面に沿って位置決めピン３を四分の一回転することによって下側挿入部３２を下孔２２に挿入することができる。また上記のように位置決めピン３を四分の一回転するときに連結部３４が湾曲しているので連結部３４の上側が上孔２１の上端２１ａに引っかかることを防止することができ、位置決めピン３をスムーズに支柱２に取り付けることが可能となる。
【００５６】
当接部３３の下側に設けられ、位置決めピン３を支柱２に取り付ける際に持ち手として利用可能な突起３５をさらに有するので、下側部分に設けられた突起３５を持手として利用することにより、位置決めピン３を支柱２に取り付ける作業を容易に行うことができる。
【００５７】
上記実施形態では、上孔２１の上下方向の長さを下孔２２のそれよりも大きくしているので、上側挿入部３１を上孔２１に挿入した状態において、上孔２１内で上側挿入部３１を上下動できるように上孔２１の上下方向の空隙５０を確保することができる。このような空隙５０を確保することで、上孔２１に上側挿入部３１を挿入した状態で下孔２２に下側挿入部３２を挿入しやすくなる。一方、下孔２２を上孔２１よりも小さくしている理由は、下孔２２に下側挿入部３２を挿入した状態では下側挿入部３２が下孔２２に閊えて位置決めピン３が上下動しないようにするためである。このような上孔２１及び下孔２２の形状が相俟って位置決めピン３の取り付けやすさと取り付けた後の安定性との両方を兼ね備えたものとすることができる。
【００５８】
また上側挿入部３１の上面が下側に垂れ下がる湾曲面となっているので、上孔２１に上側挿入部３１を挿入するときに上側挿入部３１が上孔２１の上端に引っかかることなくスムーズに上孔２１に挿入することができる。しかも、上側挿入部３１が支柱２の上孔２１に挿入された状態で、突出部３１ａの接触面３１ｂが支柱２に接触しているので、上側挿入部３１が支柱２から外れにくくなる。また突出部３１ａが湾曲面３１ｃを有しているので、上側挿入部３１を支柱２の上孔２１に挿入するときに突出部３１ａが支柱２の上孔２１に引っかかることなくスムーズに上側挿入部３１を上孔２１に挿入しやすくなる。
【００５９】
また下側挿入部３２の凸部３２ａの上面が滑らかに湾曲し、かつ下側挿入部３２の下側面３２ｂが当接部３３から離れるにしたがって上向きに湾曲しているので、上側挿入部３１を上孔２１に挿入した状態で、位置決めピン３を四分の一回転して下側挿入部３２を下孔２２に挿入するときに下側挿入部３２が下孔２２の下端に接触することなくスムーズに下孔２２に挿入することができる。
【符号の説明】
【００６０】
１  室外機設置台
２  支柱
３  位置決めピン
４  室外機設置部
５  室外機取付部
２１  上孔
２２  下孔
３１  上側挿入部
３１ａ  突出部
３２  下側挿入部
３２ａ  凸部
３２ｂ  下側面
３３  当接部
３３ａ  当接面
３４  連結部
３４Ｘ  内側面
３４Ｙ  外周面
３４ｓ  湾曲面
３４ｔ  平面部分
３５  突起
４０  空隙
５０  空隙
【図１】
2017145967.tif 000003
【図２】
2017145967.tif 000004
【図３】
2017145967.tif 000005
【図４】
2017145967.tif 000006
【図５】
2017145967.tif 000007
【図６】
2017145967.tif 000008
【図７】
2017145967.tif 000009
【図８】
2017145967.tif 000010
【図９】
2017145967.tif 000011
【図１０】
2017145967.tif 000012